(57)【特許請求の範囲】
【請求項１】
挿入側端面に隣接する一側面と，前記挿入側端面および前記一側面に隣接する他の一側面と，前記挿入側端面とによって画成される角部に、前記挿入側端面および前記一側面に対して斜交すると共に前記他の一側面に対して直交する面から成り，且つ，前記挿入側端面と前記一側面と前記他の一側面に連絡するテーパ面を、前記他の一側面の法線方向における厚さ未満の幅で備えた複数個の磁気テープカートリッジの方向性を合わせて直列的に収容する収納スペースと前記複数個の磁気テープカートリッジを挿抜するための挿抜口とを有する磁気テープライブラリ装置用セルに設けられるカートリッジ誤挿入防止機構であって、
最初に挿入される磁気テープカートリッジにおける前記挿入側端面の挿入完了位置よりも僅かに挿抜口寄りで且つ収容状態にある磁気テープカートリッジの前記他の一側面からの法線方向の離間距離が前記テーパ面の幅を上回る位置において磁気テープカートリッジの前記一側面に対応する前記収納スペースの内壁から前記収納スペース内に進退可能とされた第一の進入防止爪と、
前記第一の進入防止爪から磁気テープカートリッジにおける挿抜方向の長さを僅かに上回る間隔を置いた挿抜口寄りの位置で且つ収容状態にある磁気テープカートリッジの前記他の一側面からの法線方向の離間距離が前記テーパ面の幅の範囲内となる位置において磁気テープカートリッジの前記一側面に対応する前記収納スペースの内壁から前記収納スペース内に進退可能とされた第二の進入防止爪と、
前記第一，第二の進入防止爪に連絡し、前記収納スペースに対する前記第一，第二の進入防止爪の進退動作をトレードオフの関係で許容するリンケージ手段と、
前記第一の進入防止爪が前記収納スペースから離脱し、且つ、前記第二の進入防止爪が前記収納スペース内に進入する方向に前記リンケージ手段を定常的に付勢するリンケージ付勢手段とを備えたことを特徴とするカートリッジ誤挿入防止機構。
【請求項２】
前記リンケージ手段は、前記第一，第二の進入防止爪と一体に形成されて磁気テープカートリッジの前記一側面に対応する前記収納スペースの内壁に沿った姿勢で中央部を回転自在に軸支された誤挿入防止レバーによって構成され、
前記リンケージ付勢手段は、前記第二の進入防止爪が前記収納スペース内に進入する方向で前記誤挿入防止レバーを回転付勢する回転付勢手段によって構成されていることを特徴とする請求項１記載のカートリッジ誤挿入防止機構。
【請求項３】
前記回転付勢手段は、誤挿入防止レバーの中央部を回転自在に軸支するピンに取り付けられた捩りコイルバネによって構成されていることを特徴とする請求項２記載のカートリッジ誤挿入防止機構。
【請求項４】
前記第一の進入防止爪は前記他の一側面の法線方向における磁気テープカートリッジの厚さに匹敵する幅を有し、前記第二の進入防止爪は前記他の一側面の法線方向における前記テーパ面の幅に匹敵する幅を有していることを特徴とする請求項１，請求項２，請求項３のうち何れか一項に記載のカートリッジ誤挿入防止機構。
【請求項５】
請求項１，請求項２，請求項３または請求項４の何れか一項に記載のカートリッジ誤挿入防止機構を備えた磁気テープライブラリ装置用セル。
【発明の詳細な説明】
【技術分野】
【０００１】
本発明は、複数個の磁気テープカートリッジの方向性を合わせて直列的に収容する収納スペースと複数個の磁気テープカートリッジを挿抜するための挿抜口とを備えた磁気テープライブラリ装置用セルおよび其のカートリッジ誤挿入防止機構に関する。
【背景技術】
【０００２】
磁気テープカートリッジにおける誤挿入の防止に関連する技術としては、例えば、特許文献１に開示されるライブラリ装置が公知である。
このものは、カラーフィルタやアーム回転機構等からなる媒体位置検出機構を各磁気テープカートリッジの収容位置毎に設け、光源やミラーから構成される光学的な検出手段で磁気テープカートリッジの入れ違いを検知するものであり、構造が複雑であって磁気テープライブラリ装置の製造コストが高騰化する不都合がある。
また、磁気テープカートリッジの入れ違いを検知する機能を有するのみで、磁気テープカートリッジの誤挿入それ自体を防止する機能は備えていない。
【０００３】
一方、複数個の磁気テープカートリッジの方向性を合わせて直列的に収容するようにした磁気テープライブラリ装置用セルのカートリッジ誤挿入防止機構としては、例えば、特許文献２等に開示されるものが既に公知である。
一般に、磁気テープカートリッジ１００は、図８に示されるように、磁気テープカートリッジ１００の挿入方向を明示するため、挿入側端面ａに隣接する一側面ｂと，挿入側端面ａおよび一側面ｂに隣接する他の一側面ｃと，前記挿入側端面ａとによって画成される角部Ｘに、挿入側端面ａおよび一側面ｂに対して斜交すると共に他の一側面ｃに対して直交する面から成り，且つ，挿入側端面ａと一側面ｂと他の一側面ｃに連絡するテーパ面ｄを、他の一側面ｃの法線方向における磁気テープカートリッジ１００の厚さ未満の幅で備えている。
そして、複数の磁気テープカートリッジ１００の方向性を合わせて直列的に収容する磁気テープライブラリ装置用セル１０１は、例えば、図９に示されるように、複数の磁気テープカートリッジ１００を収容する収納スペース１０２と此れらの磁気テープカートリッジ１００を挿抜するための挿抜口１０３とを備える。
特許文献２等に見られる従来型のカートリッジ誤挿入防止機構は、例えば、図９に示されるように、最初に挿入される磁気テープカートリッジ１００における挿入側端面ａの挿入完了位置よりも僅かに挿抜口１０３寄りで且つ収容状態にある磁気テープカートリッジ１００の他の一側面ｃからの法線方向の離間距離がテーパ面ｄの幅の範囲内となる位置において、磁気テープカートリッジ１００の一側面ｂに対応する収納スペース１０２の内壁Ｂから収納スペース１０２内に突出して固設された進入防止爪１０４によって構成されている。
つまり、最初に挿入される磁気テープカートリッジ１００における他の一側面ｃからの法線方向の離間距離がテーパ面ｄの幅の範囲内となる位置に進入防止爪１０４を固設することにより、図９のように適切な方向性で挿入された最初の磁気テープカートリッジ１００に対しては角部Ｘと進入防止爪１０４との干渉をなくして進入防止爪１０４よりも奥にある挿入完了位置への磁気テープカートリッジ１００の受け入れを許容する一方、不適切な方向性で挿入された最初の磁気テープカートリッジ１００に対しては、最初の磁気テープカートリッジ１００の挿入側端面ａにおいて角部Ｘの対角線上に位置する角部、あるいは、反挿入側端面ｅ（図８参照）の角部を進入防止爪１０４に干渉させることによって、磁気テープカートリッジ１００の誤挿入を防止しようとするものである。
しかし、このような構成では最初に挿入される磁気テープカートリッジ１００の誤挿入を防止できるに過ぎず、それ以降に挿入される磁気テープカートリッジ１００の誤挿入を防止することはできない。例えば、図９に示されるように、次の磁気テープカートリッジ１００の天地を誤って逆にして挿入したとしても、最初に挿入される磁気テープカートリッジ１００の方向性さえ適切であれば、２つの磁気テープカートリッジ１００が収納スペース１０２に綺麗に収まってしまうといった不都合が生じる。
【０００４】
２つ目以降のカートリッジの誤挿入を防止するための技術として磁気テープライブラリ装置に転用が可能なものとしては、例えば、特許文献３に開示されるテープカートリッジのオートローダーが公知である。
このものは、カートリッジの傾斜面で押圧されて退避移動する誤挿入防止手段を収納スペース内に配置し、不適切に挿入されるカートリッジの直立面に誤挿入防止手段を当接させてカートリッジの誤挿入を防止する構成であるため、一定の条件下、つまり、間隔をおいて複数のカートリッジを１個宛で挿入するような場合においては、２つ目以降に挿入されるカートリッジの誤挿入を適切に防止することが可能である。
しかしながら、例えば、図９に示されるようにして、２つの磁気テープカートリッジ１００の反挿入側端面ｅ（図８参照）を突き合わせ、最初に挿入される磁気テープカートリッジ１００の方向性を適切な状態にして収納スペース１０２内に挿入したような場合では、２つ目以降に挿入される磁気テープカートリッジの誤挿入を防ぐことができない。
その理由は、図９に示されるようにして反挿入側端面ｅ（図８参照）を突き合わせた２つの磁気テープカートリッジ１００の側面、つまり、最初に挿入される磁気テープカートリッジ１００の一側面ｂと次に挿入される磁気テープカートリッジ１００の別の側面ｆとによって連続的な平面が形成され（特許文献３の図６，図１０では上面に相当）、最初に挿入された磁気テープカートリッジ１００の反挿入側端面ｅ（図８参照）が誤挿入防止手段の配設位置を通過しても、誤挿入防止手段の復帰動作が此の連続的な平面に阻まれて実行不可能となり、其のまま次の磁気テープカートリッジ１００の挿入を許容してしまうからである。
なお、図９では、一例として、最初の磁気テープカートリッジ１００が適切な方向性で挿入され、次の磁気テープカートリッジ１００の天地を逆にして其の反挿入側端面ｅを最初の磁気テープカートリッジ１００の反挿入側端面ｅに突き合わせて挿入しようとした場合について示しているが、次の磁気テープカートリッジ１００の裏表を逆にして其の挿入側端面ａを最初の磁気テープカートリッジ１００の反挿入側端面ｅに突き合わせて挿入しようとした場合、および、次の磁気テープカートリッジ１００の天地および裏表を逆にして其の反挿入側端面ｅを最初の磁気テープカートリッジ１００の反挿入側端面ｅに突き合わせて挿入しようとした場合についても、これと同様の問題が発生する。
【先行技術文献】
【特許文献】
【０００５】
【特許文献１】特開２０１０−６７３１６号公報（段落００１３，段落００５３）
【特許文献２】特開２０１０−８６５７８（段落０００５，段落００２１，図６Ａ，図６Ｂ，図６Ｃ）
【特許文献３】特開平１１−４５５３４号（段落００２２，段落００３２，図６，図１０）
【発明の概要】
【発明が解決しようとする課題】
【０００６】
そこで、本発明の目的は、複雑な媒体位置検出機構や光学的な検出手段を要することなく、磁気テープカートリッジの誤挿入、特に、２つ目以降に挿入される磁気テープカートリッジの誤挿入や反挿入側端面を突き合わせたような磁気テープカートリッジの誤挿入、つまり、磁気テープカートリッジの側面に連続的な平面が形成されるような状況下での誤挿入をも確実に防止することのできる簡単な構造のカートリッジ誤挿入防止機構を提供することにある。
【課題を解決するための手段】
【０００７】
本発明のカートリッジ誤挿入防止機構は、挿入側端面に隣接する一側面と，前記挿入側端面および前記一側面に隣接する他の一側面と，前記挿入側端面とによって画成される角部に、前記挿入側端面および前記一側面に対して斜交すると共に前記他の一側面に対して直交する面から成り，且つ，前記挿入側端面と前記一側面と前記他の一側面に連絡するテーパ面を、前記他の一側面の法線方向における厚さ未満の幅で備えた複数個の磁気テープカートリッジの方向性を合わせて直列的に収容する収納スペースと前記複数個の磁気テープカートリッジを挿抜するための挿抜口とを有する磁気テープライブラリ装置用セルに設けられるカートリッジ誤挿入防止機構であり、前記目的を達成するため、特に、
最初に挿入される磁気テープカートリッジにおける前記挿入側端面の挿入完了位置よりも僅かに挿抜口寄りで且つ収容状態にある磁気テープカートリッジの前記他の一側面からの法線方向の離間距離が前記テーパ面の幅を上回る位置において磁気テープカートリッジの前記一側面に対応する前記収納スペースの内壁から前記収納スペース内に進退可能とされた第一の進入防止爪と、
前記第一の進入防止爪から磁気テープカートリッジにおける挿抜方向の長さを僅かに上回る間隔を置いた挿抜口寄りの位置で且つ収容状態にある磁気テープカートリッジの前記他の一側面からの法線方向の離間距離が前記テーパ面の幅の範囲内となる位置において磁気テープカートリッジの前記一側面に対応する前記収納スペースの内壁から前記収納スペース内に進退可能とされた第二の進入防止爪と、
前記第一，第二の進入防止爪に連絡し、前記収納スペースに対する前記第一，第二の進入防止爪の進退動作をトレードオフの関係で許容するリンケージ手段と、
前記第一の進入防止爪が前記収納スペースから離脱し、且つ、前記第二の進入防止爪が前記収納スペース内に進入する方向に前記リンケージ手段を定常的に付勢するリンケージ付勢手段とを備えたことを特徴とする構成を有する。
【発明の効果】
【０００８】
本発明のカートリッジ誤挿入防止機構は、最初に挿入される磁気テープカートリッジにおける挿入側端面の挿入完了位置よりも僅かに挿抜口寄りの位置に其の進入状態で磁気テープカートリッジのテーパ面の有無に関わりなく磁気テープカートリッジに干渉して磁気テープカートリッジの進入を防止する第一の進入防止爪を配備すると共に、第一の進入防止爪から磁気テープカートリッジにおける挿抜方向の長さを僅かに上回る間隔を置いた位置には当該位置における磁気テープカートリッジにテーパ面があれば当該位置における磁気テープカートリッジの進入と収納スペースからの第一の進入防止爪の離脱を許容し当該位置における磁気テープカートリッジにテーパ面がなければ当該位置における磁気テープカートリッジの進入と収納スペースからの第一の進入防止爪の離脱を防止する第二の進入防止爪を配備し、更に、収納スペースに対する第一，第二の進入防止爪の進退動作をトレードオフの関係で許容するリンケージ手段を第一の進入防止爪が収納スペースから離脱し且つ第二の進入防止爪が収納スペース内に進入する方向で定常的に付勢するようにしているので、不適切な方向性で挿入される最初の磁気テープカートリッジの誤挿入、および、最初の磁気テープカートリッジの挿入に次いで間隔をおいて不適切な方向性で挿入される２つ目以降の磁気テープカートリッジの誤挿入の全てが収納スペース内に進入している第二の進入防止爪によって確実に防止され、また、適切な方向性で挿入される最初の磁気テープカートリッジに反挿入側端面を突き合わせて行なわれるような２つ目以降の磁気テープカートリッジの誤挿入、つまり、磁気テープカートリッジを続けて挿入することによって第一，第二の進入防止爪を配設した収納スペースの内壁に対応する側の磁気テープカートリッジの側面に連続的な平面が形成されるような状況下で行われる磁気テープカートリッジの誤挿入も、収納スペース内に進入している第一の進入防止爪と此の進入防止爪により進入を阻まれている最初の磁気テープカートリッジの反挿入側端面とを利用して確実に防止することができる。
【図面の簡単な説明】
【０００９】
【図１】本発明のカートリッジ誤挿入防止機構を適用した一実施形態の磁気テープライブラリ装置用セルを使用する磁気テープライブラリ装置の一例について簡略化して示したブロック図である。
【図２】同実施形態のカートリッジ誤挿入防止機構を実装した磁気テープライブラリ装置用セルの構成の主要部を示した斜視図である。
【図３】同実施形態の磁気テープライブラリ装置用セルの収納スペースに２つの磁気テープカートリッジを適切に収容した状態を示した斜視図である。
【図４】最初に挿入する際の磁気テープカートリッジの方向性を誤った場合のカートリッジ誤挿入防止機構の動作について示した平面図である。
【図５】最初の磁気テープカートリッジが適切な方向性で挿入され、次の磁気テープカートリッジが誤った方向性で最初の磁気テープカートリッジに突き合わされて挿入された場合の状況の一例を示した平面図である。
【図６】最初の磁気テープカートリッジと次の磁気テープカートリッジとを適切に突き合わせた状態で挿入した場合の状況を示した平面図である。
【図７】２つの磁気テープカートリッジが磁気テープライブラリ装置用セルの収納スペースに完全に挿入された状態を示した平面図である。
【図８】一般的な磁気テープカートリッジの外観を示した斜視図である。
【図９】公知の磁気テープライブラリ装置用セルとカートリッジ誤挿入防止機構について示した平面図である。
【発明を実施するための形態】
【００１０】
次に、本発明を実施するための一実施形態について図面を参照して具体的に説明する。
【００１１】
図１は本発明のカートリッジ誤挿入防止機構を適用した一実施形態の磁気テープライブラリ装置用セルを使用する磁気テープライブラリ装置の一例について簡略化して示したブロック図である。
【００１２】
この磁気テープライブラリ装置１は、磁気テープライブラリ装置用セル２を集合して構成されるマガジン３と、磁気テープカートリッジ１００内の磁気テープに対してデータの読み書きを行うドライブユニット４、および、磁気テープライブラリ装置用セル２とドライブユニット４との間で磁気テープカートリッジ１００の受け渡しを行なうアクセッサ５を備える。
【００１３】
マガジン３は磁気テープライブラリ装置１から外部に取り出すことが可能であり、マガジン３を構成する磁気テープライブラリ装置用セル２の各々には２つずつの磁気テープカートリッジ１００を手動操作によって装填および排出できるようになっている。
【００１４】
磁気テープライブラリ装置１，マガジン３，ドライブユニット４，アクセッサ５は何れも公知の構成要素であるので具体的な説明は省略する。
【００１５】
磁気テープカートリッジ１００は標準的な仕様のもので、図８に示されるように、挿入側端面ａに隣接する一側面ｂと，挿入側端面ａおよび一側面ｂに隣接する他の一側面ｃと，前述の挿入側端面ａとによって画成される角部Ｘに、挿入側端面ａおよび一側面ｂに対して斜交すると共に他の一側面ｃに対して直交する面から成り，且つ，挿入側端面ａと一側面ｂと他の一側面ｃに連絡するテーパ面ｄを、他の一側面ｃの法線方向におけるカートリッジ１００の厚さ未満の幅で備えている。
【００１６】
以下、この実施形態にあっては、図８に示されるように、磁気テープカートリッジ１００において前述の一側面ｂと対を成すようにして平行に位置する他の側面を別の側面ｆと呼ぶものとする。
【００１７】
カートリッジ誤挿入防止機構を実装した磁気テープライブラリ装置用セル２の構成の主要部を図２の斜視図に示す。
【００１８】
磁気テープライブラリ装置用セル２は、方向性を合わせた２つの磁気テープカートリッジ１００を直列的（玉突き式ともいう）に収容するためのもので、２つの磁気テープカートリッジ１００を収容するための収納スペース１０２と此れらの磁気テープカートリッジ１００を挿抜するための挿抜口１０３とを備え、挿抜口１０３の一側には、収納スペース１０２に収容された２つの磁気テープカートリッジ１００の脱落を防止するためのラッチ６が設けられている。
ラッチ６は板バネ７を介して挿抜口１０３の一側に取り付けられており、収納スペース１０２に収容された２つ目の磁気テープカートリッジ１００の反挿入側端面ｅ（図８参照）にラッチ６の先端を係合させることによって、収納スペース１０２に収容された２つの磁気テープカートリッジ１００の脱落を防止するようになっている。
【００１９】
図８では特に記載していないが、磁気テープライブラリ装置用セル２には、収納スペース１０２に収容されたカートリッジ１００を排出方向に向けて定常的に付勢するバネ機構が設けられている。
【００２０】
収納スペース１０２，挿抜口１０３，ラッチ６，バネ機構は何れも公知の構成要素である。
【００２１】
この実施形態におけるカートリッジ誤挿入防止機構８は、最初に挿入される磁気テープカートリッジ１００における挿入側端面ａの挿入完了位置よりも僅かに挿抜口１０３寄りで且つ収容状態にある磁気テープカートリッジ１００の他の一側面ｃからの法線方向の離間距離が磁気テープカートリッジ１００のテーパ面ｄの幅を上回る位置において、磁気テープカートリッジ１００の一側面ｂに対応する収納スペース１０２の内壁Ｂから収納スペース１０２内に進退可能とされた第一の進入防止爪９と、第一の進入防止爪９から磁気テープカートリッジ１００における挿抜方向の長さを僅かに上回る間隔を置いた挿抜口１０３寄りの位置で且つ収容状態にある磁気テープカートリッジ１００の他の一側面ｃからの法線方向の離間距離が磁気テープカートリッジ１００のテーパ面ｄの幅の範囲内となる位置において、磁気テープカートリッジ１００の一側面ｂに対応する収納スペースの内壁Ｂから収納スペース１０２内に進退可能とされた第二の進入防止爪１０と、第一の進入防止爪９および第二の進入防止爪１０に連絡し、収納スペース１０２に対する第一の進入防止爪９および第二の進入防止爪１０の進退動作をトレードオフの関係で許容するリンケージ手段１１と、第一の進入防止爪９が収納スペース１０２から離脱し、且つ、第二の進入防止爪１０が収納スペース１０２内に進入する方向でリンケージ手段１１を定常的に付勢するリンケージ付勢手段１２を有する。
【００２２】
この実施形態における第一の進入防止爪９は、図２に示される通り、磁気テープカートリッジ１００の他の一側面ｃ（図８参照）の法線方向における磁気テープカートリッジ１００の厚さに匹敵する幅を備えているが、実際には、少なくとも第一の進入防止爪９または其の一部が、収容状態にある磁気テープカートリッジ１００の他の一側面ｃからの法線方向の離間距離が磁気テープカートリッジ１００のテーパ面ｄの幅を上回る位置において、磁気テープカートリッジ１００の一側面ｂに対応する収納スペース１０２の内壁Ｂから収納スペース１０２内に進入できるようになっていればよい。
つまり、第一の進入防止爪９が収納スペース１０２内に進入した状態において、適切な方向性で最初に収納スペース１０２に挿入された磁気テープカートリッジ１００の挿入側端面ａに当接し、この磁気テープカートリッジ１００が挿入完了位置にまで進入することを防止するに足る構造が、第一の進入防止爪９の構成上の必須要件である。
もし、収容状態にある磁気テープカートリッジ１００の他の一側面ｃからの法線方向の離間距離において磁気テープカートリッジ１００のテーパ面ｄの幅の範囲内に第一の進入防止爪９の全ての部分が存在するとなると、次に挿入される磁気テープカートリッジ１００の挿入方向に不整合が合った場合、例えば、図５に示されるような状況下においても、適切な方向性で最初に収納スペース１０２に挿入された磁気テープカートリッジ１００のテーパ面ｄと第一の進入防止爪９との摺接作用によって第一の進入防止爪９が収納スペース１０２の外側に向けて押し出され、最初に挿入された磁気テープカートリッジ１００の更なる進入が許容され、適切な方向性で最初に収納スペース１０２に挿入された磁気テープカートリッジ１００、および、挿入方向に不整合を生じている次の磁気テープカートリッジ１００が共に挿入完了位置にまで到達してしまうという不都合を生じるため、このような構成を採用する必要がある。
この実施形態で第一の進入防止爪９の幅を磁気テープカートリッジ１００の厚さに匹敵する幅としているのは単に耐久性の向上が目的である。
【００２３】
また、この実施形態における第二の進入防止爪１０は、図２に示される通り、磁気テープカートリッジ１００の他の一側面ｃの法線方向における磁気テープカートリッジ１００のテーパ面ｄ（図８参照）の幅に匹敵する幅を有しているが、実際には、第二の進入防止爪１０の幅は磁気テープカートリッジ１００のテーパ面ｄの幅よりも狭くても構わない。
つまり、不適切な方向性で収納スペース１０２に挿入される磁気テープカートリッジ１００の挿入側端面ａや反挿入側端面ｅ（図８参照）に当接すし、且つ、適切な方向性で収納スペース１０２に挿入される磁気テープカートリッジ１００のテーパ面ｄに摺接することが、第二の進入防止爪１０の構成上の必須要件である。
この実施形態で第二の進入防止爪１０の幅を磁気テープカートリッジ１００のテーパ面ｄの幅に匹敵する幅としているのは単に耐久性の向上が目的である。
【００２４】
この実施形態におけるリンケージ手段１１は、第一の進入防止爪９および第二の進入防止爪１０と一体で、適切な方向性で挿入される磁気テープカートリッジ１００の一側面ｂに対応する収納スペース１０２の内壁Ｂに沿った姿勢で中央部を回転自在に軸支された誤挿入防止レバー１３によって構成されている。
【００２５】
また、リンケージ付勢手段１２は、第二の進入防止爪１０が収納スペース１０２内に進入して第一の進入防止爪９が収納スペース１０２から離脱する方向、つまり、誤挿入防止レバー１３を図２中に示される矢印Ｒの方向に向けて回転付勢する回転付勢手段１４によって構成されている。
【００２６】
この実施形態では誤挿入防止レバー１３の中央部を回転自在に軸支するピン１５を取り巻くようにして取り付けた捩りコイルバネによって回転付勢手段１４を構成しているが、十分な弾性を有する合成樹脂等で誤挿入防止レバー１３を形成するような場合にあっては、誤挿入防止レバー１３の中央部に舌片を一体に設け、この舌片を回転付勢手段１４として利用したり、適所に配備した板バネやコイルスプリング等を利用するといったことも可能である。
【００２７】
第一の進入防止爪９を一端部に備え其の他端部に第二の進入防止爪１０を備えた誤挿入防止レバー１３は、収容状態にある磁気テープカートリッジ１００の他の一側面ｃの法線方向に沿って設けられたピン１５を中心として回転する構造であるから、収納スペース１０２に対する第一の進入防止爪９および第二の進入防止爪１０の進退動作は必然的にトレードオフの関係となる。
【００２８】
磁気テープライブラリ装置用セル２の収納スペース１０２に２つの磁気テープカートリッジ１００を適切に収容した状態を参考までに図３の斜視図に示す。
【００２９】
次に、この実施形態におけるカートリッジ誤挿入防止機構８の動作と機能について具体的に説明する。
【００３０】
図４は最初に挿入する際の磁気テープカートリッジ１００の方向性を誤った場合のカートリッジ誤挿入防止機構８の動作について示した平面図である。なお、図４では最初に挿入される磁気テープカートリッジ１００の天地を逆にして反挿入側端面ｅを先に挿入した場合について示しているが、磁気テープカートリッジ１００の裏表を逆にして挿入しようとした場合も、カートリッジ誤挿入防止機構８の動作原理自体は此れと同じである。
【００３１】
つまり、何れの場合においても、回転付勢手段１４によって図４中でカウンタークロックワイズ方向に回転付勢された誤挿入防止レバー１３の他端部に一体に設けられている第二の進入防止爪１０は、最初の磁気テープカートリッジ１００を挿入する段階で、初期状態つまり収納スペース１０２の内壁Ｂから収納スペース１０２内に進入した状態となっているので、最初の磁気テープカートリッジ１００の天地を逆にして挿入しようとした場合にあっては磁気テープカートリッジ１００の反挿入側端面ｅが、また、最初の磁気テープカートリッジ１００の裏表を逆にして挿入しようとした場合にあっては磁気テープカートリッジ１００の挿入側端面ａが第二の進入防止爪１０と干渉し、最初の磁気テープカートリッジ１００の誤った挿入操作が完全に防止される。
【００３２】
最初の磁気テープカートリッジ１００の挿入が許容されるのは、最初の磁気テープカートリッジ１００の一側面ｂを磁気テープライブラリ装置用セル２の内壁Ｂに摺接させるようにして磁気テープカートリッジ１００を挿入した場合（例えば図６参照）、すなわち、最初の磁気テープカートリッジ１００に形成されたテーパ面ｄが第二の進入防止爪１０に摺接して回転付勢手段１４の付勢力に抗して誤挿入防止レバー１３を図４あるいは図６中のクロックワイズ方向に回転させて、第二の進入防止爪１０が収納スペース１０２の外側に押し出される場合に限られる。
【００３３】
従って、最初の磁気テープカートリッジ１００の誤挿入は、全て、第二の進入防止爪１０のみによって確実に防止することが可能である。
【００３４】
そして、最初の磁気テープカートリッジ１００の適切な挿入によって此の磁気テープカートリッジ１００のテーパ面ｄに第二の進入防止爪１０が摺接し、誤挿入防止レバー１３が図４中のクロックワイズ方向に回転して誤挿入防止レバー１３の第一の進入防止爪９が収納スペース１０２の内壁Ｂから収納スペース１０２内に進入した場合にあっては、適切な方向性で挿入された最初の磁気テープカートリッジ１００の反挿入側端面ｅが第二の進入防止爪１０の配設位置を通過するまでの間、第二の進入防止爪１０が収納スペース１０２の外側に離脱し且つ第一の進入防止爪９が収納スペース１０２内に進入した状態が維持されることになる（例えば図６参照）。
ここで、もし仮に、最初の磁気テープカートリッジ１００のみを挿入し、次の磁気テープカートリッジ１００を挿入せずに最初の磁気テープカートリッジ１００を手指で押し込むといったような行為を行なった場合、第一の進入防止爪９と第二の進入防止爪１０との間の離間距離が磁気テープカートリッジ１００における挿抜方向の長さを僅かに上回る間隔であることから（例えば図５参照）、最初の磁気テープカートリッジ１００の挿入側端面ａが第一の進入防止爪９の位置に到達する前に最初の磁気テープカートリッジ１００の反挿入側端面ｅが第二の進入防止爪１０の位置を通過することになる。
従って、第二の進入防止爪１０は、最初の磁気テープカートリッジ１００の反挿入側端面ｅが第二の進入防止爪１０の位置を通過した時点で、最初に挿入された磁気テープカートリッジ１００の一側面ｂによる支えを失い、結果的に、誤挿入防止レバー１３が再び回転付勢手段１４の付勢力で図４中のカウンタークロックワイズ方向に回転して初期状態に復帰し、誤挿入防止レバー１３の一端に設けられている第一の進入防止爪９が収納スペース１０２から離脱し且つ第二の進入防止爪１０が内壁Ｂから収納スペース１０２内に進入した状態となる。
よって、適切な方向性で挿入された最初の磁気テープカートリッジ１００を手指で押し込み続けるとするなら、最初の磁気テープカートリッジ１００を挿入完了位置まで押し込むことは許容され得るが、この段階では既に第二の進入防止爪１０が内壁Ｂから収納スペース１０２内に進入した状態となっているので、仮に、間隔を置いて次の磁気テープカートリッジ１００を挿入しようとしても、次の磁気テープカートリッジ１００を誤った方向性で挿入することはできない。無論、次の磁気テープカートリッジ１００を適切な方向性で挿入することは可能である。
【００３５】
しかし、実際には、磁気テープライブラリ装置用セル２には、収納スペース１０２に収容された最初の磁気カートリッジ１００を押圧することによって１つ若しくは２つの磁気テープカートリッジ１００を排出方向に向けて定常的に付勢するバネ機構が設けられているので、２つの磁気テープカートリッジ１００が間隔をおいて１個宛で挿入されるといった現象が生じることは殆どなく、最初の磁気テープカートリッジ１００の反挿入側端面ｅまたは挿入側端面ａと次の磁気テープカートリッジ１００の挿入側端面ａまたは反挿入側端面ｅとがバネ機構の付勢力によって突き合わされた状態で、この付勢力に抗する手動操作力で２つの磁気テープカートリッジ１００が直列的に纏められたまま挿入されるのが普通である。
【００３６】
２つの磁気テープカートリッジ１００が直列的に纏められた状態で挿入される場合であっても、最初の磁気テープカートリッジ１００の天地や裏表が逆であった場合には、既に述べた通りの理由により、第二の進入防止爪１０が最初の磁気テープカートリッジ１００の誤挿入を全て阻止し、次の磁気テープカートリッジ１００の挿入も必然的に不可能とするので、磁気テープカートリッジ１００の誤挿入は完全に防止される。
【００３７】
問題となるのは、最初の磁気テープカートリッジ１００が適切な方向性で挿入され、且つ、次の磁気テープカートリッジ１００が誤った方向性で最初の磁気テープカートリッジ１００に突き合わされた状態で挿入される場合である。
【００３８】
最初の磁気テープカートリッジ１００が適切な方向性で挿入され、次の磁気テープカートリッジ１００が誤った方向性で最初の磁気テープカートリッジ１００に突き合わされて挿入された場合の状況の一例を図５に示す。
【００３９】
図５では最初の磁気テープカートリッジ１００が適切な方向性で挿入され、次の磁気テープカートリッジ１００の天地を逆にして其の反挿入側端面ｅを最初の磁気テープカートリッジ１００の反挿入側端面ｅに突き合わせて挿入しようとしている場合を例にとって示しているが、次の磁気テープカートリッジ１００の裏表を逆にして其の挿入側端面ａを最初の磁気テープカートリッジ１００の反挿入側端面ｅに突き合わせて挿入しようとした場合、および、次の磁気テープカートリッジ１００の天地および裏表を逆にして其の反挿入側端面ｅを最初の磁気テープカートリッジ１００の反挿入側端面ｅに突き合わせて挿入しようとした場合についても、カートリッジ誤挿入防止機構８の動作原理自体は全て同様である。
【００４０】
これらの場合、最初の磁気テープカートリッジ１００の挿入方向は適切であるから、まず、最初の磁気テープカートリッジ１００に形成されたテーパ面ｄが第二の進入防止爪１０と摺接し、回転付勢手段１４の付勢力に抗して誤挿入防止レバー１３を図５中のクロックワイズ方向に回転させることにより、第二の進入防止爪１０が収納スペース１０２の外側に離脱し且つ第一の進入防止爪９が収納スペース１０２内に進入した状態となる。
【００４１】
既に述べた通り、第一の進入防止爪９と第二の進入防止爪１０との間の離間距離は１つの磁気テープカートリッジ１００における挿抜方向の長さを僅かに上回る間隔となっているが、図５のようにして次の磁気テープカートリッジ１００の天地を逆にして挿入しようとしている場合にあっては、最初に挿入された磁気テープカートリッジ１００における一側面ｂと次に挿入される磁気テープカートリッジ１００における別の側面ｆとが１つの連続した平面を形成することになるので、適切な方向性で挿入された最初の磁気テープカートリッジ１００の反挿入側端面ｅが第二の進入防止爪１０の配設位置を通過しても、次の磁気テープカートリッジ１００の別の側面ｆが第二の進入防止爪１０を支え続け、図５に示される通り、誤挿入防止レバー１がクロックワイズ方向に回転したままの状態、つまり、第二の進入防止爪１０が収納スペース１０２の外側に向けて離脱し且つ第一の進入防止爪９が収納スペース１０２内に進入した状態が維持されることになる。
【００４２】
既に述べた通り、第一の進入防止爪９と第二の進入防止爪１０との間の離間距離は１つの磁気テープカートリッジ１００における挿抜方向の長さを僅かに上回る間隔となっているので、最初に挿入された磁気テープカートリッジ１００の反挿入側端面ｅが第二の進入防止爪１０の配設位置を通過してからも最初の磁気テープカートリッジ１００および次の磁気テープカートリッジ１００を挿入完了位置に向けて僅かに押し進めることは可能だが、最終的に、収納スペース１０２内に進入している第一の進入防止爪９に最初の磁気テープカートリッジ１００の挿入側端面ａが干渉することになるので、２つの磁気テープカートリッジ１００を其れ以上に押し進める操作は許容されない。
【００４３】
既に述べたとおり、第一の進入防止爪９は最初に挿入される磁気テープカートリッジ１００における挿入側端面ａの挿入完了位置よりも僅かに挿抜口１０３寄りに配置されているので、最初の磁気テープカートリッジ１００を適切な方向性で挿入し且つ次の磁気テープカートリッジ１００を不適切な方向性で挿入しようとした場合においては、次の磁気テープカートリッジ１００の挿入側端面ａあるいは反挿入側端面ｅといった後端部が磁気テープライブラリ装置用セル２の挿抜口１０３から僅かに突出したままの状態となり、ラッチ６が次の磁気テープカートリッジ１００の後端部に係合して其の脱落を防止することはない。
【００４４】
従って、次の磁気テープカートリッジ１００を押し進める手を離せば、２つの磁気テープカートリッジ１００がバネ機構の付勢力によって挿抜口１０３から強制的にエジェクトされることになる。
【００４５】
最初の磁気テープカートリッジ１００が適切な方向性で挿入され、次の磁気テープカートリッジ１００の天地を逆にして其の反挿入側端面ｅを最初の磁気テープカートリッジ１００の反挿入側端面ｅに突き合わせて挿入しようとした場合、および、最初の磁気テープカートリッジ１００が適切な方向性で挿入され、次の磁気テープカートリッジ１００の裏表を逆にして其の挿入側端面ａを最初の磁気テープカートリッジ１００の反挿入側端面ｅに突き合わせて挿入しようとした場合においては第二の進入防止爪１０が次の磁気テープカートリッジ１００の別の側面ｆで支えられるのに対し、最初の磁気テープカートリッジ１００が適切な方向性で挿入され、次の磁気テープカートリッジ１００の天地および裏表を逆にして其の反挿入側端面ｅを最初の磁気テープカートリッジ１００の反挿入側端面ｅに突き合わせて挿入しようとした場合においては第二の進入防止爪１０が次の磁気テープカートリッジ１００の一側面ｂで支えられることになるが、２つ目の磁気テープカートリッジ１００の誤挿入に際して生じる現象は、図５を参照して説明したもの、つまり、最初の磁気テープカートリッジ１００が適切な方向性で挿入され、次の磁気テープカートリッジ１００の天地を逆にして其の反挿入側端面ｅを最初の磁気テープカートリッジ１００の反挿入側端面ｅに突き合わせて挿入しようとした場合と全く同様である。
【００４６】
従って、この実施形態によれば、適切な方向性で挿入される最初の磁気テープカートリッジ１００の反挿入側端面ｅに次の磁気テープカートリッジ１００の反挿入側端面ｅを突き合わせる等して次の磁気テープカートリッジ１００のみに誤挿入が生じた場合、つまり、磁気テープカートリッジ１００を続けて挿入することによって、第一，第二の進入防止爪９，１０を配設した収納スペース１０２の内壁Ｂに対応する側の磁気テープカートリッジ１００の２つの側面（ｂとｆまたはｂとｂ）に連続的な平面が形成されるような状況下で行われる磁気テープカートリッジ１００の誤挿入も、収納スペース１０２内に進入している第一の進入防止爪９と此の進入防止爪９により進入を阻まれている最初の磁気テープカートリッジ１００の反挿入側端面ｅとを利用して確実に防止することができる。
【００４７】
一方、図６に示されるように、最初の磁気テープカートリッジ１００と次の磁気テープカートリッジ１００とを適切に突き合わせた状態で挿入した場合にあっては、まず、最初の磁気テープカートリッジ１００に形成されたテーパ面ｄが第二の進入防止爪１０と摺接し、回転付勢手段１４の付勢力に抗して誤挿入防止レバー１３を図６中のクロックワイズ方向に回転させることにより、第二の進入防止爪１０が収納スペース１０２の外側に離脱し且つ第一の進入防止爪９が収納スペース１０２内に進入した状態となり、適切な方向性で挿入された最初の磁気テープカートリッジ１００の反挿入側端面ｅが第二の進入防止爪１０の配設位置を通過するまでの間、この状態が維持される。
【００４８】
そして、適切な方向性で挿入された最初の磁気テープカートリッジ１００の反挿入側端面ｅが第二の進入防止爪１０の配設位置を通過すると、第二の進入防止爪１０が最初の磁気テープカートリッジ１００の一側面ｂによる支えを失い、結果的に、誤挿入防止レバー１３が再び回転付勢手段１４の付勢力によってカウンタークロックワイズ方向に回転して初期状態に復帰し、誤挿入防止レバー１３の一端に設けられている第一の進入防止爪９が収納スペース１０２から離脱し且つ第二の進入防止爪１０が内壁Ｂから収納スペース１０２内に進入した状態となる。なお、第二の進入防止爪１０は、既に述べた通り、収容状態にある磁気テープカートリッジ１００の他の一側面ｃからの法線方向の離間距離が磁気テープカートリッジ１００のテーパ面ｄの幅の範囲内となる位置において収納スペース１０２の内壁Ｂから収納スペース１０２内に進入する構成であるから、次の磁気テープカートリッジ１００に設けられたテーパ面ｄによって得られた角部Ｘの切欠部分に容易に進入することが可能である。
【００４９】
また、既に述べた通り、第一の進入防止爪９と第二の進入防止爪１０との間の離間距離は１つの磁気テープカートリッジ１００における挿抜方向の長さを僅かに上回る間隔となっているので、最初に挿入された磁気テープカートリッジ１００の挿入側端面ａを第一の進入防止爪９に当接させることなく、つまり、部品間の喰い付きを発生させることなく、最初の磁気テープカートリッジ１００を通過させるための第一の進入防止爪９の離脱動作すなわちカウンタークロックワイズ方向への誤挿入防止レバー１３の回転動作を円滑に行わせることができる。
【００５０】
そして、適切な方向性で挿入された最初の磁気テープカートリッジ１００の反挿入側端面ｅが第二の進入防止爪１０の配設位置を通過した直後に第一の進入防止爪９が収納スペース１０２から離脱するので、最初の磁気テープカートリッジ１００の挿入側端面ａが第一の進入防止爪９の配設位置に到達する時点では最初の磁気テープカートリッジ１００の挿入操作を阻むものは何もなく、最初の磁気テープカートリッジ１００および次の磁気テープカートリッジ１００を容易に挿入完了位置まで押し進めることができる。
【００５１】
２つの磁気テープカートリッジ１００が磁気テープライブラリ装置用セル２の収納スペース１０２に完全に挿入され、ラッチ６が２つ目の磁気テープカートリッジ１００の後端部に係合した状態を図７に示す。
【００５２】
以上に開示した実施形態の一部または全部は、以下の付記に示す記載によって適切に表現され得るが、発明を実施するための形態や発明の技術思想は、これらのものに制限されるものではない。
【００５３】
〔付記１〕
挿入側端面（ａ）に隣接する一側面（ｂ）と，前記挿入側端面（ａ）および前記一側面（ｂ）に隣接する他の一側面（ｃ）と，前記挿入側端面（ａ）とによって画成される角部（Ｘ）に、前記挿入側端面（ａ）および前記一側面（ｂ）に対して斜交すると共に前記他の一側面（ｃ）に対して直交する面から成り，且つ，前記挿入側端面（ａ）と前記一側面（ｂ）と前記他の一側面（ｃ）に連絡するテーパ面（ｄ）を、前記他の一側面（ｃ）の法線方向における厚さ未満の幅で備えた複数個の磁気テープカートリッジ（１００）の方向性を合わせて直列的に収容する収納スペース（１０２）と前記複数個の磁気テープカートリッジ（１００）を挿抜するための挿抜口（１０３）とを有する磁気テープライブラリ装置用セル（２）に設けられるカートリッジ誤挿入防止機構（８）であって、
最初に挿入される磁気テープカートリッジ（１００）における前記挿入側端面（ａ）の挿入完了位置よりも僅かに挿抜口（１０３）寄りで且つ収容状態にある磁気テープカートリッジ（１００）の前記他の一側面（ｃ）からの法線方向の離間距離が前記テーパ面（ｄ）の幅を上回る位置において磁気テープカートリッジ（１００）の前記一側面（ｂ）に対応する前記収納スペース（１０２）の内壁（Ｂ）から前記収納スペース（１０２）内に進退可能とされた第一の進入防止爪（９）と、
前記第一の進入防止爪（９）から磁気テープカートリッジ（１００）における挿抜方向の長さを僅かに上回る間隔を置いた挿抜口（１０３）寄りの位置で且つ収容状態にある磁気テープカートリッジ（１００）の前記他の一側面（ｃ）からの法線方向の離間距離が前記テーパ面（ｄ）の幅の範囲内となる位置において磁気テープカートリッジ（１００）の前記一側面（ｂ）に対応する前記収納スペース（１０２）の内壁（Ｂ）から前記収納スペース（１０２）内に進退可能とされた第二の進入防止爪（１０）と、
前記第一，第二の進入防止爪（９，１０）に連絡し、前記収納スペース（１０２）に対する前記第一，第二の進入防止爪（９，１０）の進退動作をトレードオフの関係で許容するリンケージ手段（１１）と、
前記第一の進入防止爪（９）が前記収納スペース（１０２）から離脱し、且つ、前記第二の進入防止爪（１０）が前記収納スペース（１０２）内に進入する方向に前記リンケージ手段（１１）を定常的に付勢するリンケージ付勢手段（１２）とを備えたことを特徴とするカートリッジ誤挿入防止機構（８）。
【００５４】
〔付記２〕
前記リンケージ手段（１１）は、前記第一，第二の進入防止爪（９，１０）と一体に形成されて磁気テープカートリッジ（１００）の前記一側面（ｂ）に対応する前記収納スペース（１０２）の内壁（Ｂ）に沿った姿勢で中央部を回転自在に軸支された誤挿入防止レバー（１３）によって構成され、
前記リンケージ付勢手段（１２）は、前記第二の進入防止爪（１０）が前記収納スペース（１０２）内に進入する方向で前記誤挿入防止レバー（１３）を回転付勢する回転付勢手段（１４）によって構成されていることを特徴とする付記１記載のカートリッジ誤挿入防止機構（８）。
【００５５】
〔付記３〕
前記回転付勢手段（１２）は、誤挿入防止レバー（１３）の中央部を回転自在に軸支するピン（１５）に取り付けられた捩りコイルバネによって構成されていることを特徴とする付記２記載のカートリッジ誤挿入防止機構（８）。
【００５６】
〔付記４〕
前記第一の進入防止爪（９）は前記他の一側面（ｃ）の法線方向における磁気テープカートリッジ（１００）の厚さに匹敵する幅を有し、前記第二の進入防止爪（１０）は前記他の一側面（ｃ）の法線方向における前記テーパ面（ｄ）の幅に匹敵する幅を有していることを特徴とする付記１，付記２，付記３のうち何れか一項に記載のカートリッジ誤挿入防止機構（８）。
【００５７】
〔付記５〕
付記１，付記２，付記３または付記４の何れか一項に記載のカートリッジ誤挿入防止機構（８）を備えた磁気テープライブラリ装置用セル（２）。
【産業上の利用可能性】
【００５８】
本発明は、磁気テープライブラリ装置のマガジンを構成するセルに限らず、直方体のカートリッジを採用する各種装置のセルにおけるカートリッジ誤挿入防止機構として転用することが可能である。
【符号の説明】
【００５９】
１  磁気テープライブラリ装置
２  磁気テープライブラリ装置用セル
３  マガジン
４  ドライブユニット
５  アクセッサ
６  ラッチ
７  板バネ
８  カートリッジ誤挿入防止機構
９  第一の進入防止爪
１０  第二の進入防止爪
１１  リンケージ手段
１２  リンケージ付勢手段
１３  誤挿入防止レバー
１４  回転付勢手段（捩りコイルバネ等）
１５  ピン
１００  磁気テープカートリッジ
１０１  磁気テープライブラリ装置用セル
１０２  収納スペース
１０３  挿抜口
１０４  進入防止爪
ａ  磁気テープカートリッジの挿入側端面
ｂ  磁気テープカートリッジの一側面
Ｂ  磁気テープカートリッジの一側面に対応する収納スペースの内壁
ｃ  磁気テープカートリッジの他の一側面
ｄ  磁気テープカートリッジのテーパ面
ｅ  磁気テープカートリッジの反挿入側端面
ｆ  磁気テープカートリッジの別の側面
Ｘ  磁気テープカートリッジの角部
【図１】
0005212500.tif 000002
【図２】
0005212500.tif 000003
【図３】
0005212500.tif 000004
【図４】
0005212500.tif 000005
【図５】
0005212500.tif 000006
【図６】
0005212500.tif 000007
【図７】
0005212500.tif 000008
【図８】
0005212500.tif 000009
【図９】
0005212500.tif 000010